【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
一端が開口したハウジングと、
前記ハウジングの開口を塞ぐように前記ハウジングに取り付けられたブラシホルダと、
前記ハウジングおよび前記ブラシホルダに対し回転可能に取り付けられたロータシャフトと、
前記ロータシャフトの外周面に設けられた整流子と、
前記整流子に摺接可能なように前記ブラシホルダに取り付けられた一対のブラシと、
それぞれの一端部が前記ブラシホルダに固定されるとともに、他端部が対応する前記ブラシに接続され、電流が入力されることにより、前記ブラシに対して電力を供給する一対のターミナル構造体と、
を備え、
少なくとも一方の前記ターミナル構造体は、
前記一端部と前記他端部とが連続して一体に形成された第１構造体と、
前記一端部側の第１ターミナル、前記他端部側の第２ターミナルおよび前記第１ターミナルと前記第２ターミナルとの間に接続された雑防素子とを含む第２構造体と、
のいずれかにより形成されており、
前記ブラシホルダには、
少なくとも一方の前記ターミナル構造体の前記一端部を固定する第１固定部と、当該ターミナル構造体の前記他端部を固定する第２固定部とが形成され、前記第１固定部と前記第２固定部とは互いに所定の間隔だけ離れており、前記第１固定部と前記第２固定部が形成された素子装着部からは、前記ターミナル構造体を保持するターミナル保持部が前記ロータシャフトの回転軸方向に延びており、
前記第１構造体および前記第２構造体のうちのいずれか一方が、前記ブラシホルダに固定されることが可能な回転電機。
【請求項２】
一対の前記ターミナル構造体には、当該ターミナル構造体同士を互いに接続するコンデンサの取付部が形成された請求項１記載の回転電機。
【請求項３】
前記ブラシホルダの前記素子装着部は、前記ロータシャフトの半径方向に延びており、
少なくとも前記一方のターミナル構造体は、
前記第１ターミナル、前記第２ターミナルおよび前記第１ターミナルと前記第２ターミナルとの間に接続されるチョークコイルと、
により形成され、
前記チョークコイルの軸は、前記ロータシャフトの半径方向に延びている請求項１または２に記載の回転電機。
【請求項４】
一対の前記ターミナル構造体は、
前記第１ターミナル、前記第２ターミナルおよび前記チョークコイルにより形成され、
一対の前記第１ターミナル同士は互いに対称形状を呈しており、一対の前記第２ターミナル同士は互いに対称形状を呈している請求項３記載の回転電機。
【手続補正２】
【補正対象書類名】明細書
【補正対象項目名】０００９
【補正方法】変更
【補正の内容】
【０００９】
上述した課題を解決するために、請求項１に係る回転電機の発明の構成は、一端が開口したハウジングと、ハウジングの開口を塞ぐようにハウジングに取り付けられたブラシホルダと、ハウジングおよびブラシホルダに対し回転可能に取り付けられたロータシャフトと、ロータシャフトの外周面に設けられた整流子と、整流子に摺接可能なようにブラシホルダに取り付けられた一対のブラシと、それぞれの一端部がブラシホルダに固定されるとともに、他端部が対応するブラシに接続され、電流が入力されることにより、ブラシに対して電力を供給する一対のターミナル構造体と、を備え、少なくとも一方のターミナル構造体は、一端部と他端部とが連続して一体に形成された第１構造体と、一端部側の第１ターミナル、他端部側の第２ターミナルおよび第１ターミナルと第２ターミナルとの間に接続された雑防素子とを含む第２構造体と、のいずれかにより形成されており、ブラシホルダには、少なくとも一方のターミナル構造体の一端部を固定する第１固定部と、当該ターミナル構造体の他端部を固定する第２固定部とが形成され、第１固定部と第２固定部とは互いに所定の間隔だけ離れており、第１固定部と第２固定部が形成された素子装着部からは、ターミナル構造体を保持するターミナル保持部がロータシャフトの回転軸方向に延びており、第１構造体および第２構造体のうちのいずれか一方が、ブラシホルダに固定されることが可能なことである。
【手続補正３】
【補正対象書類名】明細書
【補正対象項目名】００１０
【補正方法】変更
【補正の内容】
【００１０】
請求項２に係る発明の構成は、請求項１の回転電機において、一対のターミナル構造体には、ターミナル構造体同士を互いに接続するコンデンサの取付部が形成されたことである。
【手続補正４】
【補正対象書類名】明細書
【補正対象項目名】００１１
【補正方法】変更
【補正の内容】
【００１１】
請求項３に係る発明の構成は、請求項１または２の回転電機において、ブラシホルダの素子装着部は、ロータシャフトの半径方向に延びており、少なくとも一方のターミナル構造体は、第１ターミナル、第２ターミナルおよび第１ターミナルと第２ターミナルとの間に接続されるチョークコイルと、により形成され、チョークコイルの軸は、ロータシャフトの半径方向に延びていることである。
【手続補正５】
【補正対象書類名】明細書
【補正対象項目名】００１２
【補正方法】変更
【補正の内容】
【００１２】
請求項４に係る発明の構成は、請求項３の回転電機において、一対のターミナル構造体は、第１ターミナル、第２ターミナルおよびチョークコイルにより形成され、一対の第１ターミナル同士は互いに対称形状を呈しており、一対の第２ターミナル同士は互いに対称形状を呈していることである。
【手続補正６】
【補正対象書類名】明細書
【補正対象項目名】００１３
【補正方法】変更
【補正の内容】
【００１３】
請求項１に係る回転電機によれば、ブラシホルダには、少なくとも一方のターミナル構造体の一端部を固定する第１固定部と、当該ターミナル構造体の他端部を固定する第２固定部とが形成され、第１固定部と第２固定部とは互いに所定の間隔だけ離れており、第１固定部と第２固定部が形成された素子装着部からは、ターミナル構造体を保持するターミナル保持部がロータシャフトの回転軸方向に延びており、第１構造体および第２構造体のうちのいずれか一方が、ブラシホルダに固定されることが可能にされている。
【手続補正７】
【補正対象書類名】明細書
【補正対象項目名】００１５
【補正方法】変更
【補正の内容】
【００１５】
請求項２に係る回転電機によれば、一対のターミナル構造体には、ターミナル構造体同士を互いに接続するコンデンサの取付部が形成されたことによって、双方のターミナル構造体同士の間にコンデンサを取り付けることができるため、雑防素子を備える回転電機を容易に形成することが可能となる。
【手続補正８】
【補正対象書類名】明細書
【補正対象項目名】００１７
【補正方法】変更
【補正の内容】
【００１７】
請求項３に係る回転電機によれば、第１ターミナルと第２ターミナルとを接続するチョークコイルの軸が、ロータシャフトの半径方向に延びていることにより、回転電機における回転軸方向の寸法を低減することができる。
【手続補正９】
【補正対象書類名】明細書
【補正対象項目名】００１８
【補正方法】変更
【補正の内容】
【００１８】
請求項４に係る回転電機によれば、一対の第１ターミナル同士は互いに対称形状を呈しており、一対の第２ターミナル同士は互いに対称形状を呈していることにより、第１ターミナルと第２ターミナルとを接続する双方のチョークコイルを共用化することができる。